(57)【要約】【課題】  本発明は、回路遮断器のインターロック装置に関し、２台の回路遮断器の操作部材が同時にオンまたはオフ状態に位置することを確実に防止することを目的とする。【解決手段】  並設される第１の操作部材と第２の操作部材に跨って配置される回動部材と、回動部材を回動可能かつ軸長方向に移動可能に支持する支持手段と、回動部材に固定され第１の操作部材または第２の操作部材の操作に伴い回動する第１のカム部材と、回動部材の第１のカム部材の両側に固定され、第１の操作部材または第２の操作部材による第１のカム部材の回動により第２の操作部材または第１の操作部材を操作する第２のカム部材または第３のカム部材とを有することを特徴とする。【選択図】    図１
2007227016.tif 000002
【特許請求の範囲】
【請求項１】
第１の回路遮断器の第１の操作部材と第２の回路遮断器の第２の操作部材とが同時にオンまたはオフ状態に位置することを防止する回路遮断器のインターロック装置において、
並設される前記第１の操作部材と前記第２の操作部材に跨って配置される回動部材と、
前記回動部材を回動可能かつ軸長方向に移動可能に支持する支持手段と、
前記回動部材に固定され前記第１の操作部材または第２の操作部材の操作に伴い回動する第１のカム部材と、
前記回動部材の前記第１のカム部材の両側に固定され、前記第１の操作部材または第２の操作部材による前記第１のカム部材の回動により前記第２の操作部材または第１の操作部材を操作する第２のカム部材または第３のカム部材と、
を有することを特徴とする回路遮断器のインターロック装置。
【請求項２】
請求項１記載の回路遮断器のインターロック装置において、
前記第１の操作部材および第２の操作部材をパネルから突出して配置するとともに、前記パネルに前記支持手段を固定してなることを特徴とする回路遮断器のインターロック装置。
【請求項３】
請求項２記載の回路遮断器のインターロック装置において、
前記支持手段は、前記第１の操作部材の外側に配置される第１の支持部材と、前記第２の操作部材の外側に配置される第２の支持部材とを有し、前記第１の支持部材および第２の支持部材には前記回動部材が挿通される貫通穴が形成されていることを特徴とする回路遮断器のインターロック装置。
【請求項４】
請求項３記載の回路遮断器のインターロック装置において、
前記第１の支持部材は、前記第１の操作部材に前記第１のカム部材が位置する時に前記第３のカム部材が当接可能な位置に配置され、前記第２の支持部材は、前記第２の操作部材に前記第１のカム部材が位置する時に前記第２のカム部材が当接可能な位置に配置されていることを特徴とする回路遮断器のインターロック装置。
【請求項５】
請求項１ないし請求項４のいずれか１項記載の回路遮断器のインターロック装置において、
前記回動部材に、前記第１のカム部材、前記第２のカム部材および前記第３のカム部材を一体形成してなることを特徴とする回路遮断器のインターロック装置。
【請求項６】
請求項５記載の回路遮断器のインターロック装置において、
前記回動部材、前記第１のカム部材、前記第２のカム部材および前記第３のカム部材は樹脂により形成されていることを特徴とする回路遮断器のインターロック装置。
【発明の詳細な説明】
【技術分野】
【０００１】
本発明は、２台の回路遮断器の操作部材が同時にオンまたはオフ状態に位置することを防止する回路遮断器のインターロック装置に関する。
【背景技術】
【０００２】
従来、２台の回路遮断器の操作部材が同時にオンまたはオフ状態に位置することを防止する回路遮断器のインターロック装置として、例えば、図５に示すものが知られている。
この回路遮断器のインターロック装置では、第１の回路遮断器１の第１の操作部材２と第２の回路遮断器３の第２の操作部材４とが、連結部材５により連結されている。そして、例えば、第１の操作部材２を下方に回動してオン状態に位置させると、第２の操作部材４が連結部材５を介して下方に回動し、第２の操作部材４がオフ状態に位置される。
【特許文献１】特開平１０−１０６４０６号公報
【特許文献２】特開２００４−６２０２号公報
【特許文献３】実開平５−９２９４２号公報
【発明の開示】
【発明が解決しようとする課題】
【０００３】
しかしながら、上述した回路遮断器のインターロック装置では、第１および第２の操作部材２，４が、同時に中立位置に位置するため、回路遮断器１，３によっては瞬間的に同時にオン状態になるおそれがあるという問題があった。
本発明は、かかる従来の問題を解決するためになされたもので、２台の回路遮断器の操作部材が同時にオンまたはオフ状態に位置することを確実に防止することができる回路遮断器のインターロック装置を提供することを目的とする。
【課題を解決するための手段】
【０００４】
請求項１の回路遮断器のインターロック装置は、第１の回路遮断器の第１の操作部材と第２の回路遮断器の第２の操作部材とが同時にオンまたはオフ状態に位置することを防止する回路遮断器のインターロック装置において、並設される前記第１の操作部材と前記第２の操作部材に跨って配置される回動部材と、前記回動部材を回動可能かつ軸長方向に移動可能に支持する支持手段と、前記回動部材に固定され前記第１の操作部材または第２の操作部材の操作に伴い回動する第１のカム部材と、前記回動部材の前記第１のカム部材の両側に固定され、前記第１の操作部材または第２の操作部材による前記第１のカム部材の回動により前記第２の操作部材または第１の操作部材を操作する第２のカム部材または第３のカム部材とを有することを特徴とする。
【０００５】
請求項２の回路遮断器のインターロック装置は、請求項１記載の回路遮断器のインターロック装置において、前記第１の操作部材および第２の操作部材をパネルから突出して配置するとともに、前記パネルに前記支持手段を固定してなることを特徴とする。
請求項３の回路遮断器のインターロック装置は、請求項２記載の回路遮断器のインターロック装置において、前記支持手段は、前記第１の操作部材の外側に配置される第１の支持部材と、前記第２の操作部材の外側に配置される第２の支持部材とを有し、前記第１の支持部材および第２の支持部材には前記回動部材が挿通される貫通穴が形成されていることを特徴とする。
【０００６】
請求項４の回路遮断器のインターロック装置は、請求項３記載の回路遮断器のインターロック装置において、前記第１の支持部材は、前記第１の操作部材に前記第１のカム部材が位置する時に前記第３のカム部材が当接可能な位置に配置され、前記第２の支持部材は、前記第２の操作部材に前記第１のカム部材が位置する時に前記第２のカム部材が当接可能な位置に配置されていることを特徴とする。
【０００７】
請求項５の回路遮断器のインターロック装置は、請求項１ないし請求項４のいずれか１項記載の回路遮断器のインターロック装置において、前記回動部材に、前記第１のカム部材、前記第２のカム部材および前記第３のカム部材を一体形成してなることを特徴とする。
請求項６の回路遮断器のインターロック装置は、請求項５記載の回路遮断器のインターロック装置において、前記回動部材、前記第１のカム部材、前記第２のカム部材および前記第３のカム部材は樹脂により形成されていることを特徴とする。
【発明の効果】
【０００８】
請求項１の回路遮断器のインターロック装置では、第１の操作部材の位置に第１のカム部材を位置させると、第２の操作部材の位置に第２のカム部材が位置する。この状態で第１の操作部材を操作すると、第１のカム部材が回動部材を中心にして回動し回動部材が回動する。そして、回動部材の回動により第２のカム部材が回動し第２の操作部材が操作される。また、第２の操作部材の位置に第１のカム部材を位置させると、第１の操作部材の位置に第３のカム部材が位置する。この状態で第２の操作部材を操作すると、第１のカム部材が回動部材を中心にして回動し回動部材が回動する。そして、回動部材の回動により第３のカム部材が回動し第１の操作部材が操作される。従って、２台の回路遮断器の操作部材が同時にオンまたはオフ状態に位置することを確実に防止することができる。
【０００９】
請求項２の回路遮断器のインターロック装置では、第１の操作部材および第２の操作部材をパネルから突出して配置したので、支持手段をパネルに固定することができる。
請求項３の回路遮断器のインターロック装置では、第１の支持部材および第２の支持部材に回動部材が挿通される貫通穴を形成したので、回動部材を回動可能かつ軸長方向に移動可能に支持することができる。
【００１０】
請求項４の回路遮断器のインターロック装置では、第１の支持部材を、第１の操作部材に第１のカム部材が位置する時に第３のカム部材が当接可能な位置に配置し、第２の支持部材を、第２の操作部材に第１のカム部材が位置する時に第２のカム部材が当接可能な位置に配置したので、第１のカム部材が第１の操作部材または第２の操作部材から外れることを確実に防止することができる。
【００１１】
請求項５の回路遮断器のインターロック装置では、回動部材に、第１のカム部材、第２のカム部材および第３のカム部材を一体形成したので、部品点数を減少することができる。
請求項６の回路遮断器のインターロック装置では、回動部材、第１のカム部材、第２のカム部材および第３のカム部材を樹脂により形成したので、製造コストを低減することができる。
【発明を実施するための最良の形態】
【００１２】
以下、本発明の実施形態を図面を用いて詳細に説明する。
図１は、本発明の回路遮断器のインターロック装置の一実施形態を示している。
この実施形態では、パネル１１の背面に第１の回路遮断器１３および第２の回路遮断器１５が並設されている。第１の回路遮断器１３は、例えば非常用電源のオン，オフを行い、第２の回路遮断器１５は、例えば商用電源のオン，オフを行う。
【００１３】
パネル１１には、穴部１１ａ，１１ｂが形成され、第１の回路遮断器１３の第１の操作部材１７および第２の操作部材１９がパネル１１から突出して配置されている。第１の操作部材１７および第２の操作部材１９は、図１の上側に位置する時がオン状態とされ、下側に位置する時がオフ状態とされる。
第１の操作部材１７および第２の操作部材１９の上部には、第１の操作部材１７および第２の操作部材１９に跨って円柱状の回動部材２１が配置されている。この回動部材２１は、支持手段２３により回動可能かつ軸長方向に移動可能に支持されている。
【００１４】
支持手段２３は、第１の操作部材１７の外側に配置されるＬ字状の第１の支持部材２５と、第２の操作部材１９の外側に配置されるＬ字状の第２の支持部材２７とを有している。第１の支持部材２５および第２の支持部材２７には回動部材２１が挿通される貫通穴２５ａ，２７ａが形成されている。
回動部材２１には、第１の操作部材１７または第２の操作部材１９のオン操作に伴い回動する第１のカム部材２９が固定されている。また、回動部材２１の第１のカム部材２９の両側には第２のカム部材３１および第３のカム部材３３が固定されている。
【００１５】
この実施形態では、第１の操作部材１７および第２の操作部材１９の幅は略同一の幅とされている。そして、第１の操作部材１７と第２の操作部材１９とは、第１の操作部材１７の幅より充分に小さな間隔を置いて配置されている。また、第１のカム部材２９、第２のカム部材３１および第３のカム部材３３の幅は、第１の操作部材１７と略同一の幅とされている。そして、回動部材２１、第１のカム部材２９、第２のカム部材３１および第３のカム部材３３は樹脂により一体形成されている。
【００１６】
上述した回路遮断器のインターロック装置では、図１に示すように、第２の操作部材１９がオン状態にある時には、第１の操作部材１７がオフ状態に位置される。そして、第１の操作部材１７の位置に第１のカム部材２９が位置され、第２の操作部材１９の位置に第２のカム部材３１が位置される。この状態では、回動部材２１に固定される第１のカム部材２９と第３のカム部材３３とが、第２の操作部材１９と第１の支持部材２５との間に位置され、回動部材２１の軸長方向への移動が規制される。すなわち、第１の支持部材２５は、第１の操作部材１７に第１のカム部材２９が位置する時に第３のカム部材３３が当接可能な位置に配置されており、第１の支持部材２５により回動部材２１の軸長方向への移動が規制される。
【００１７】
図１の状態から第１の操作部材１７をオン操作すると、図２に示すように、第１のカム部材２９が回動部材２１を中心にして回動し、第２のカム部材３１および第３のカム部材３３が回動する。そして、図３に示すように、第２のカム部材３１の回動により、第２の操作部材１９がオフ操作される。なお、第２の操作部材１９は、第２のカム部材３１により所定位置まで移動されると弾性機構(不図示)により自動的にオフ位置まで移動する。
【００１８】
この後、図４に示すように、第１の操作部材１７がオフ状態にならないように指で保持され、回動部材２１が第２の支持部材２７側に移動される。これにより、第２の操作部材１９の位置に第１のカム部材２９が位置され、第１の操作部材１７の位置に第３のカム部材３３が位置される。この状態では、回動部材２１に固定される第１のカム部材２９と第２のカム部材３１とが、第１の操作部材１７と第２の支持部材２７との間に位置され、回動部材２１の軸長方向への移動が規制される。すなわち、第２の支持部材２７は、第２の操作部材１９に第１のカム部材２９が位置する時に第２のカム部材３１が当接可能な位置に配置されており、第２の支持部材２７により回動部材２１の軸長方向への移動が規制される。
【００１９】
上述した回路遮断器のインターロック装置では、図１に示したように、第１の操作部材１７の位置に第１のカム部材２９を位置させると、第２の操作部材１９の位置に第２のカム部材３１が位置する。この状態で第１の操作部材１７をオン操作すると、第１のカム部材２９が回動部材２１を中心にして回動し回動部材２１が回動する。そして、回動部材２１の回動により第２のカム部材３１が回動し第２の操作部材１９がオフ操作される。
【００２０】
また、図４に示したように、第２の操作部材１９の位置に第１のカム部材２９を位置させると、第１の操作部材１７の位置に第３のカム部材３３が位置する。この状態で第２の操作部材１９をオン操作すると、第１のカム部材２９が回動部材２１を中心にして回動し回動部材２１が回動する。そして、回動部材２１の回動により第３のカム部材３３が回動し第１の操作部材１７がオフ操作される。従って、２台の回路遮断器１３，１５の操作部材１７，１９が同時にオンまたはオフ状態に位置することを確実に防止することができる。
【００２１】
また、第１の操作部材１７および第２の操作部材１９をパネル１１から突出して配置したので、パネル１１に固定される支持手段２３により回動部材２１を容易，確実に支持することができる。
さらに、第１の支持部材２５および第２の支持部材２７に回動部材２１が挿通される貫通穴２５ａ，２７ａを形成したので、回動部材２１を回動可能かつ軸長方向に移動可能に支持することができる。
【００２２】
そして、上述した回路遮断器のインターロック装置では、第１の支持部材２５を、第１の操作部材１７に第１のカム部材２９が位置する時に第３のカム部材３３が当接可能な位置に配置し、第２の支持部材２７を、第２の操作部材１９に第１のカム部材２９が位置する時に第２のカム部材３１が当接可能な位置に配置したので、第１のカム部材２９が第１の操作部材１７または第２の操作部材１９から外れることを確実に防止することができる。
【００２３】
また、回動部材２１に、第１のカム部材２９、第２のカム部材３１および第３のカム部材３３を一体形成したので、部品点数を減少することができる。
さらに、回動部材２１、第１のカム部材２９、第２のカム部材３１および第３のカム部材３３を樹脂により形成したので、量産性を向上し製造コストを低減することができる。
【図面の簡単な説明】
【００２４】
【図１】本発明の回路遮断器のインターロック装置の一実施形態を示す説明図である。
【図２】図１の第１の操作部材のオン操作による第１のカム部材および第２のカム部材の回動を示す説明図である。
【図３】図１の第１の操作部材のオン操作による第２のカム部材の回動を示す説明図である。
【図４】図１の第１のカム部材を第２の操作部材の位置に移動した状態を示す説明図である。
【図５】従来の回路遮断器のインターロック装置を示す説明図である。
【符号の説明】
【００２５】
１１  パネル
１３  第１の回路遮断器
１５  第２の回路遮断器
１７  第１の操作部材
１９  第２の操作部材
２１  回動部材
２３  支持手段
２５  第１の支持部材
２５ａ，２７ａ  貫通穴
２７  第２の支持部材
２９  第１のカム部材
３１  第２のカム部材
３３  第３のカム部材
【図１】
2007227016.tif 000003
【図２】
2007227016.tif 000004
【図３】
2007227016.tif 000005
【図４】
2007227016.tif 000006
【図５】
2007227016.tif 000007